Podtech/llm-jp-corpus-v4-ja_patent huggingface dataset:
(57)【要約】［課題］　はっきりしない天気の時に傘が邪魔になったり、鞄の中を濡らしてしまったり、いたる所に傘を置き忘れるといった不具合を解決する。［解決手段］　折りたたみ式傘の握柄（１）又は傘軸（２）又は玉留（３）又は傘袋（４）のいずれかの部分に、ベルトや鞄等の持手にひっかけて携帯できるフック状のもの（５）をとりつける。【選択図】　図１
2004057744.tif 000002
【特許請求の範囲】
【請求項１】
折りたたみ式傘の握柄（１）又は傘軸（２）又は玉留（３）のいずれかの部分に、ベルトや鞄等の持手にひっかけて携帯できるフック状のものをとりつけたもの。
【請求項２】
折りたたみ式傘の傘袋（４）に、ベルトや鞄等の持手にひっかけて携帯できるフック状のもの（５）をとりつけたもの。
【発明の詳細な説明】
【００１】
［発明の属する技術分野］　本発明は折りたたみ式に限らず傘を持ち歩くことの煩わしさ及び失くしてしまいやすさを改善するためのものである。
【００２】
［従来の技術］　従来、折りたたみ式傘は手で持ち歩くか、鞄の中に入れて携帯するかのいずれかであった。
【００３】
［発明が解決しようとする課題］　傘を鞄に入れて携帯すると一度使って濡れた状態の傘を鞄の中にいれると、鞄の中の濡れては困るものまで濡れてしまう。　また、折りたたみ式に限らず、電車の中の手すりや傘たてその他もろもろの所で失くしてしまいやすく、手で持ち歩く場合には邪魔になったり他のものがもちにくくなるという課題があった。
【００４】
［課題を解決するための手段］　折りたたみ式傘の握柄（１）又は傘軸（２）又は玉留（３）又は傘袋（４）のいずれかの部分に、ベルトや鞄等の持手にひっかけて携帯できるフック状のもの（５）をとりつける。
【００５】
［発明の実施の形態］　折りたたみ式傘の握柄（１）又は傘軸（２）又は玉留（３）又は傘袋（４）のいずれかの部分に、ベルトや鞄等の持手にひっかけて携帯できるフック状のもの（５）をとりつける。
【００６】
［実施例］　折りたたみ式傘の握柄（１）又は傘軸（２）又は玉留（３）又は傘袋（４）のいずれかの部分に、ベルトや鞄等の持手にひっかけて携帯できるフック状のもの（５）をとりつける。
【００７】
［発明の効果］　鞄の中を濡らしてしまったり、折りたたみ式に限らず、傘を失くしてしまう機会を減少させることができ、雨がやんだ場合には両手が自由に使えるため、買い物等が楽にできるようになる。
【図面の簡単な説明】
【図１】正面からの見取りを示した図である。
【符号の説明】１．握柄　　２．傘軸
３．玉留り　　４．傘袋　　５．フック状のもの
６．止め具
【図１】
2004057744.tif 000003
(57)【要約】【課題】傘の石突きに装着して、雨に濡れた傘をたたんだ時に滴り落ちる雫を吸収して、周囲がよごれることを防止するキャップを提供する。【解決手段】キャップ本体上部１の中に雫を吸収するスポンジ２を装着する。スポンジ２にたまった雫は、キャップ本体１０を逆さまにして、雫絞りハンドル５を引くことにより排出される。また、キャップ本体下部２にはストッパー３を装着して、石突き８に容易に取付けられるようにした。これらにより、雨に濡れた傘をたたんだ時に傘の先端から滴り落ちる雫で周囲がよごれることを防止できるようにする。【選択図】　図１
2004057748.tif 000002
【特許請求の範囲】
【請求項１】
傘の石突きに装着することで、使用後の濡れた傘の先端から雫が
滴れないようにし、また、吸収した雫を容易に排出できるキャップ。
【発明の詳細な説明】
【０００１】
【発明の属する技術分野】
本発明は傘をたたんだ時に傘の先端から滴り落ちる雫が周囲をよごすことを防止するために、傘の石突きに取付けて使用するキャップである。キャップ本体内にスポンジを内蔵して雫を吸収させ、たまった雫はスポンジを収縮させる機能により排出できるようにした。また、脱落防止用のストッパーを付けた。さらに、キャップ本体は上部、下部に分かれ、ネジにより結合し、内部のスポン
ジ、雫絞り、ストッパーなどの部品の交換をできるようにしたものである。
【０００２】
【従来の技術】
従来は傘の先端から滴り落ちてくる雫を受けるキャップはなかった。
【０００３】
【発明が解決しようとする課題】
雨の時に使用した傘はたたんだ時に先端から雫が滴り落ち、周囲をよごしてし
まった。本発明はこの課題を解消するためになされたものである。
【０００４】
【課題を解決するための手段】
キャップ本体上部１の中にスポンジ２を装着することにより、傘の先端からの雫が吸収されるようにした。また、ストッパー３を装着することで、石突き８
からの脱落を防止した。
【０００５】
【発明の実施の形態】
以下、本発明の実施の形態について説明する。
（イ）雫絞り４を雫絞り引上げひも６と結合させる。これをスポンジ２と共にキャップ本体上部１に装着する。雫絞り引上げひも６はひも通し穴９から貫通させ、雫絞りハンドル５と結合させる。
（ロ）キャップ本体下部２にストッパー３を装着する。
（ハ）キャップ本体１とキャップ本体２を結合させる。
【０００６】
【発明の効果】
使用してたたんだ傘から滴る雫をスポンジ２が吸収するので、周囲をよごすことを防止できる。スポンジ２に吸収された雫はキャップ本体１０を逆さにし、雫絞りハンドル５を引くことにより、雫絞り４が引き上げられ、スポンジ２を収縮させることにより排出される。キャップ本体下部２の中に装着されたストッパー３により、石突き８からの脱落を防止できる。また、キャップ本体１０はねじにより結合されており、キャップ本体上部１とキャップ本体下部２に分解できるので、スポンジ２、雫絞り４、雫絞り引上げひも６、ストッパー３な
どの交換も可能である。
【図面の簡単な説明】
【図１】本発明の使用状態を示す断面図である。
【図２】スポンジ２の側面図である。
【図３】ストッパーの側面図である。
【図４】本発明の使用状態を示す側面図である。
【符号の説明】
１　キャップ本体上部
２　スポンジ
３　ストッパー
４　雫絞り
５　雫絞りハンドル
６　雫絞り引上げひも
７　傘本体
８　石突き
９　ひも通し穴
１０　キャップ本体
【図１】
2004057748.tif 000003
【図２】
2004057748.tif 000004
【図３】
2004057748.tif 000005
【図４】
2004057748.tif 000006
(57)【要約】【課題】床ずれは入院着床時より始まり、発赤部分をマッサージして血液の流れをよくすると同時に、軟質のクッションを発赤部に当てがい皮膚と寝床との接触部分をやわらげる。【解決手段】入院時より床ずれの生じる各部位が予測できるので、本発明は各部位に適応する形状の微振動型装置付きの凹型をその部位に配列し、２〜３時間に約１０分間の割合で微振動させることにより、血液の循環を促進し床ずれの発生を防止するものである。身体に個人差があるので、実寸を測って予防具を作成し使用する。医療器具を身体内に埋め込まれている病者は、微振動装置を外した凹型のみの予防具を使用する。【選択図】図５
2004057743.tif 000002
【特許請求の範囲】
【請求項１】
病床に着床初日から発生する床ずれ（褥瘡）は、自己体重による血管圧迫により突出骨部表皮に表われる発赤の部位を寝具と接触させず軟質凹型を発生部位を取り巻く形状の微振動装置付き床ずれ予防具。
【請求項２】
床ずれ発生部各部位に凹部を装置した人体大のシートで、通常流電停止時は床ずれ部位を圧迫接触させぬマットとして使用し、流電時は微振動により血流を促す床ずれ予防具。
【請求項３】
軟質凹部微振動装置底辺にマジックテープを接着させ、任意に移動させることが可能な床ずれ予防具。
【請求項４】
病者の身体条件に合わせた実寸を測定の上、個別に製作する床ずれ予防具。
【請求項５】
請求項１、又は請求項２、又は請求項３、又は請求項４からなる床ずれ予防具及びその製法。
【発明の詳細な説明】
【０００１】
【発明の属する技術分野】
この発明は床ずれ予防方法に関し、更に詳しくは長期治療の必要な病者が老若男女を問わず、入院当日より悩む床ずれ（学名：褥瘡）の防止対応のため、血液循環を正常化し効率的に床ずれ発生を防ぐ床ずれ予防具に関する。
【０００２】
長いこと寝たきりの場合は、身体が圧迫されて血行障害が起きることで、皮膚や皮下組織が壊死してしまう。特に老人の場合は、数時間で症状が現れる。
【０００３】
肩や腰の周囲の圧迫を受けやすい部分の皮膚がただれたようになり、更に進行すれば潰瘍ができてしまう。床ずれになってしまうと、患部から細菌が進入して感染症を患い、非常に苦しい思いをすることになる。
【０００４】
特に病気などで動けない高齢者は、寝返りを打つのも困難である。じっと同じ体位で寝ていると、骨ばった部分などの皮膚が圧迫されて血液の循環が悪くなり、栄養不良に陥って皮膚が破れてくる。
【０００５】
床ずれは骨が突出している部分にできやすく、中でも腰から下は最も床ずれのできやすい場所として注意が必要である。床ずれが進むと疾患部の肉がえぐれて穴があき、骨にまで悪影響を与える。
【０００６】
【従来の技術】
従来より確固たる予防法はなく、体の向きを２〜３時間毎に変えてやる。クッションなどを使い、床ずれになりやすい個所に重みがかからないようにする。床ずれのできやすいところをマッサージしたり、暖めて血行を良くするために蒸しタオルで拭いてやる。床ずれ初期の発赤ができた場合、マッサージしたり、可能な場合はベッド上に座らせたりして身体を動かし血液の循環を促す。
【０００７】
床ずれ予防用具としては、身体と寝具の接触部分を軟らかくするためにウォーターベッド、エアーマット、ウェーブマットを使用したり、各部位に角座、円座等のクッションを置くか、軟毛のムートンによる肘、踵部位パッドを利用しているが、大きな効果は望めない。
【０００８】
【発明が解決しようとする課題】
高齢者の病者が特に悲惨な思いをしている現状を考え、また現実に遭遇した人は多いと思われる。主たる病気が完治すれば幸いであるが、長い人生の終期に主病以外に床ずれ（褥瘡）で塗炭の苦しみを味わせることは何としても防いでやらなければならない。単に床ずれ部位を軟質素材で苦痛を和らげることだけでなく、床ずれができにくくするには、血液の循環を正常化するように各部位周辺に微振動を１日４〜５回１０分程度当てることで、予防効果は大きく床ずれができにくくなる。病床と皮膚の接触面をなくす。（図１、図２、図３、図４）
【０００９】
身体に医療器具を埋めている人は電流による微振動予防具を使用することができないので、無通電の状態で使用しても床と皮膚との接触面をなくすことができて（図１、図２、図３、図４）効果は大である。
【００１０】
床ずれ各部位単独の微振動型と無振動型、及び身体を動かすことができない病者用全身シートの微振動型と無振動型とからなる床ずれ予防具。（図５）
【００１１】
【発明の実施の形態】
本発明はあくまで床ずれ発生防止のための予防具であり、治療具ではない。入院後に発生する床ずれ部位は個人差があるものの、過去のデータから下記の割合となる（全身を１００％とした数値）：
▲１▼後頭部（図２）　７％、　　　　　　▲２▼肩甲骨周辺（図４）　　　３５％
▲３▼仙骨腰部（図３）４５％、　　　　　▲４▼踵部　　　　　　　　　　８％
他に、肘、耳、膝内側、肩上部、踵、手の甲など、いづれも皮膚と骨格との間に筋肉や脂肪がなく寝床との摩擦に弱い部位である。
【００１２】
本発明は予防具により床ずれ部位を寝具から浮かせた状態（図１の１）で寝具と皮膚との接触をなくし（図１の５）、部位周辺の血液の循環をよくできるように１回１０分程度の微振動を加えるものである（図１の４）。
【図面の簡単な説明】
【図１】床ずれ予防パッドの断面図である。
１：表布、２：フェルト、３：スポンジ、４：振動装置、５：凹部
【図２】頭部用床ずれ予防パッドの平面図及び側面図である。
【図３】仙骨腰部用床ずれ予防パッドの平面図である。
【図４】肩甲骨部用床ずれ予防パッドの平面図である。
【図５】全身用床ずれ予防パッドシートの平面図及び側面図である。
【図１】
2004057743.tif 000003
【図２】
2004057743.tif 000004
【図３】
2004057743.tif 000005
【図４】
2004057743.tif 000006
【図５】
2004057743.tif 000007
(57)【要約】【目的】今現在には　まくらの中には土を容れるという発想は　思いつかなかった【構成】ナイロン和紙（１）の袋の中に　鹿沼土（２）を主流に　炭（３）　桧（４）　杉などのチップ材を　混合させお互いの持つ　特徴を生かし　熱を発散させ　汗を吸収し　消習性を　持ち備えた鹿沼まくらである。【選択図】　図４
2004057746.tif 000002
【特許請求の範囲】
【請求項１】
和紙とナイロンの合成和紙（１）の袋に　鹿沼土（２）と　木炭（３）　桧（４）　を　使い分け　比率の体積によって　それぞれの持つ性質を　組み合わせ相乗効果を出し　健康の基本となる睡眠を　手助け出来する鹿沼まくらである。
【発明の詳細な説明】
【０００１】
この発明は　夜寝る時誰でも使う寝具で　鹿沼まくらには　鹿沼土　炭　檜　杉の相乗効果により　臭い　熱の発散や湿化　汗の吸収など果たし　健康や睡眠を維持するまくらである
【０００２】
【従来の技術】
従来は　まくらと言えば　もみ殼　小豆　そば殼など数々あるが　土を入れたまくらはあまり見あたらなかった
【０００３】
【発明の属する分野】（発明が解決する課題）
現在まくらに関しての種類は　もみ殻　小豆　水まくら　アイスノン　磁石　など等々あり　どれ一つ取っても間違いもなく　すばらしいと思うし　鹿沼まくらも自然の定義にあわせ　熱を発散させ　汗や湿化　臭いを吸収するという両面をそなえた　すばらしいまくらである
【０００４】
【課題を解決するための手段】
本発明はまくらの中に　鹿沼土を　１０割又は　鹿沼土６割　ヒノキ　４割（チップ）又杉の（チップ）４割又　炭など　組み合わせ自由にし　通気性を考慮し中に炭などを入れ　汗や熱などを吸収し　森林の香り　土の気分など　睡眠に必要なイメージを　もち備えるまくらである。
【０００５】
【発明の実旋の形態】
以下図面に従って　実施例を　説明する
【図１】においては
和紙とナイロンの合成で強く　また通気性に優れている和紙袋の端に　ノリシロを設け袋にする
【図２】において袋（１）の中に　乾燥させた大粒の鹿沼土７分目程詰め　ノリシロをとじ　和紙袋（１）をまくら生地とまくらカバーで仕上げると　汗や水分などを吸収し通気性ある鹿沼まくらが完成する
【図３】において鹿沼まくらの芯に　木炭（３）をいれると　吸収　通気に　臭いなど消してくれる事ができる
【図４】においてナイロン和紙（１）の中に鹿沼土（２）木炭（３）に、天然桧材（４）チップを　適当な比率で混合すると　お互いの持つ優れた性質の相乗効果を　出し合い健康に良い　鹿沼まくらが出来る。
【０００６】
【次に使用法と動作を説明する】
【図１】において和紙とナイロン合成和紙（１）を　袋状の形にし　端にのりしろ（１ａ）を　設けて　その中に鹿沼土（２）を主体にして　炭（３）桧（４）杉などのチップ材を比率配合して　その物の持ち合わせた効果を出し合い　通気性　桧（４）　杉の香り　炭（３）の臭い消し　鹿沼土（２）の通気性　水分の吸収性と　お互いの持つ長所の相乗効果により　睡眠に必要まくらが出来る。
【図面の簡単な説明】
【図１】和紙とナイロンの合成袋の平面図
【図２】鹿沼土（１０割）の平面図
【図３】鹿沼土と炭の平面図
【図４】鹿沼土　炭　桧（チップ）杉（チップ）の混合平面図
【符号の説明】
（１）　ナイロン和紙
（１ａ）のりしろ
（２）鹿沼土
（３）炭
（４）桧チップ
【図１】
2004057746.tif 000003
【図２】
2004057746.tif 000004
【図３】
2004057746.tif 000005
【図４】
2004057746.tif 000006
(57)【要約】　　　（修正有）【課題】採尿器が転倒、傾斜しても尿漏れせず、又着衣の中に装着可能な採尿器を提供する。【解決手段】採尿器内に逆止弁を設け尿漏れを防止する、採尿器全体を柔軟で軽く薄い資材にて小形に作り逆止弁を内臓させ使い勝手のよい形態にして着衣の中に装着できるようにする。【選択図】図１
2004057747.tif 000002
【特許請求の範囲】
【請求項１】
上端を開放状態にし下端を密閉にしたる本体の上方内部に管状逆止弁を設けたことを特徴とする携帯用の排尿器。
【請求項２】
請求の範囲第１項に記載の携帯用の排尿器であって本体の下端を溶着にて密閉したることを特徴とする携帯用の排尿器。
【発明の詳細な説明】
【０００１】
【発明の属する技術分野】
本発明は自動車等に乗車中において使用する他、病人、高齢者等の介護用として、又トイレを利用できない場合において頻尿者及び健全者にも使用可能な携帯用の排尿器に関するものである。
【０００２】
【従来の技術】
病人の介護用又は高齢者用の排尿器としては主にしびん、又はベット、椅子等に備え付けた便器等が従来より様々なものが開示され使用されている、又自動車等に乗車中に使用するものも種々なるものが開示されている、例えば特開２００１−２６９２８８号公報に開示されている装置がある、この種のものは排尿器としての機能は備えているが、取扱いを誤ると尿が容器外に流出するものである。
【０００３】
【発明が解決しようとする課題】
従来にあっては寝たきりの病人、又は高齢者には排尿用のチューブを尿道から膀胱まで通して採尿用の袋に入れる採尿器が使用されているが、この処置方法は医療資格者が必要であるため自宅等における介護には使用が困難である。
また一般の道路において車が渋滞した場合に自動車内にて排尿器を使用することがある、この場合従来の排尿器は上部が解放状態であり又簡易な蓋を使用したものであるため、誤って排尿器を転倒したり傾斜させると尿が外部に流出し衛生的でない、又臭気も発散させる問題があった。
【０００４】
頻尿者は勿論のこと健全者にてもトイレを利用できない場合があり困惑することがある、例えば会議、会談等にてトイレ退席ができない場合とか、公衆便所の無い地域を歩行している場合である。
【０００５】
【課題を解決するための手段】
本発明は上記のごとき実情に鑑み、この課題を解決することを目的として創作されたものであって、請求項１に係る発明の携帯用の排尿器は、筒状の本体の下端を密閉状態にして尿を収納する容器を形成させ、本体の上端は開口状にして、その開口部より尿を流入させる、本体が転倒或いは傾斜しても収納された尿を外部に流出させない防止装置として、本体の上方内部に管状の逆止弁を設ける、この逆止弁は尿の流出を防止するとともに尿の臭気が外部に放出されることも防止するものである。
【０００６】
請求項２に係る発明の携帯用の排尿器は、前記請求項１の携帯用の排尿器の本体の下端を溶着により封止する方式にして、使い捨ての安価な排尿器を製造する場合の封止加工法である。
本発明の携帯用の排尿器は簡単な構成なるため、極めて安価に製造ができるものである、このため使い捨ての排尿器が製造可能であるが、本体の下端を開閉自在の方式にすれば、尿を排出して本体内を洗浄することにより反復して使用することができる。
【０００７】
【発明実施の形態】
以下本発明を図面に基づき詳細に説明する、図面の第１図は本発明の携帯用の排尿器の一部欠截斜視図にして１は本体である、この本体１は筒状であってガラス又は硬質の合成樹脂にて製作される場合と、使用条件によって軟質のものが好適であるとなれば軟質の合成樹脂、ゴム等にて製作される場合がある第１図は軟質の物質にて作られた場合の図面である、本体１の下端は溶着加工にて封止し下端溶着部２となる、本体１を硬質資材にて製作した場合の下端封止は、それに適合した封止構成がされる。
硬質にて本体１を製作する場合は本体１の内部を洗浄し反復して何度も使用するため、本体１の下端は開閉自在の方式にされる、軟質の資材にて本体１を製作した場合は、極めて安価にて製造ができるため使い捨てにして反復使用はしない、その理由により下端を溶着にて軽便に封止する。
【０００８】
本体１の上端は採尿口３であって、この口より尿が流下する、この図１に記載された本発明の携帯用の排尿器は男性用のものであるため採尿口３の口径は小寸である、女性用の場合の採尿口３は口径の大なるものが使用される。
本体１の上端より５乃至１５センチメートル下がった内部位置に露斗４を設ける、この露斗４は本体１と同質の資材にて作られるものであるが、この露斗４の中央に設けられた逆止弁５は肉厚の薄いゴム又は軟質の合成樹脂にて作られており、管状であるが常時は閉塞状態になって居り上方より尿が流下すると、押し開かれ尿は下に落下し本体１の中に収納される、収納された尿は逆止弁５を逆流できないため本体１が転倒或いは傾斜しても中の尿は外部に流出しない。
【０００９】
図２は図１の露斗４及び逆止弁５を正面より見た図である。
【００１０】
図３は図２の露斗４及び逆止弁５を側面より見た図であって、逆止弁５が閉塞したる時、即ち尿が流下していない時の状態図である。
【００１１】
図４は軟質の合成樹脂、ゴム等にて本体１を作った場合に、その本体１を少し長く作り、その上端の延長部材にて露斗４と逆止弁５製作し、折り返し部６の箇所にて折り返し本体１の中に露斗４、逆止弁５を入れる、本発明の携帯用の排尿器の製造方法の一例を示したものである。
【００１２】
図５は本体１の上方部の中に露斗４、逆止弁５を入れ端部を溶着により固定する、本発明の携帯用の排尿器の製造方法の一例を示したものである。
本発明はこのような実施例に何等限定されるものでなく本発明の要旨を逸脱しない範囲において種々なる態様で実施し得るは勿論である。
【００１３】
【発明の効果】
以上詳記したように構成されているため、次のような効果を奏する、本発明の携帯用の排尿器は逆止弁を内臓しているため排尿器を誤って転倒させたり傾斜させても中の尿は外に流出せず又不快な尿臭も外に出さないため衛生的である。
本発明の男性用排尿器を肉厚の極めて薄いフィルム状の材質にて製作すれば、着用している被服内に収める形状のものが製作可能になり、トイレを利用できない場合にても用を足すことができ重宝な便器となる、又安価にて製造ができるため使い捨ての、使い勝手のよいものを製造することができる。
又寝たきりの病人用便器としても使い勝手のよいものを提供することができる。
【図面の簡単な説明】
【図１】本発明の携帯用の排尿器の一実施例の一部欠截斜視図である。
【図２】図１に記載の露斗４及び逆止弁５の正面図である。
【図３】図２に記載の露斗４及び逆止弁５の側面図である。
【図４】本発明の携帯用の排尿器の一実施例の本体１、露斗４、逆止弁５を一括して加工し折り返した場合の断面図である。
【図５】本発明の携帯用の排尿器の一実施例の本体１と、その中に入れた露斗４の各々の上端を溶着加工した場合の断面図である。
【符号の説明】
１　本体
２　下端溶着部
３　採尿口
４　露斗
５　逆止弁
６　折り返し部
７　上端溶着部
【図１】
2004057747.tif 000003
【図２】
2004057747.tif 000004
【図３】
2004057747.tif 000005
【図４】
2004057747.tif 000006
【図５】
2004057747.tif 000007
(57)【要約】【目的】医療機関や介護現場などのベッド周りの環境として、テレビ等のＡＶ機器は患者の生活においても必須となっている。しかし、そのことはテレビ等のＡＶ機器はそれはそれ、テーブルにおいても、それはそれと各々単体での利用となっている。その為、テレビ画面や本体に付着するほこりなどは、感染的にもおおきな問題となっており、又、限られたスペースといった面でも、その存在は大きな問題となっていた。利用面でもその角度や姿勢にある程度制限が伴っている。その為、日々の療養清潔において、ベッド周辺環境の改善をし、快適な環境の提供を可能とする事を目的とする。【構成】固定式と可変式テーブルを２つで１つとし、可変式へテレビなどのＡＶ機器を埋め込み、各々に強化ガラスなどを用い天板とする。それを、移動式の脚部へ設置する事で、設置や移動も容易とした。又、未使用時においては、略面一となるよう設定されてい。【選択図】図１
2004057789.tif 000002
【特許請求の範囲】
【請求項１】
板状のテーブルを固定部、変動部の２枚と、このテーブル部を支える支柱に、床上を自在に移動可能な脚部を有し、テーブル内部にテレビ若しくはＡＶ機器を埋め込み、そのテーブルを変動可能とし、リモートコントロールスイッチを有し、さらにテーブル上部をガラスなどの光透過性を天板とし、ＡＶ機器部テーブルが自在に変動する事で、ベッドサイドにおいて、ＡＶ機器利用の利便化、周辺機器や環境のスペースの効率化と、テーブル上面が安易に略面一ともＡＶ機器部テーブルの容易な角度変動を可能となることを特徴とするベッドサイドテーブル。
【発明の詳細な説明】
【０００１】
【発明の属する技術分野】
医療機関や老健施設などにおいて、ベッド近傍に配置され、テレビ等のＡＶ機器とテーブルを一体型にする事で、寝ながら容易に操作でき、又、未使用時は可変式により、他の行為でテーブル使用時に障害とならなず、その事はベッド周辺のスペースの整理化、清掃の容易化という意味も兼備えたベッドサイドテーブルに関するものである。
【０００２】
【従来の技術】
従来、ベッドサイドテーブルにおいては、それのみの機能しか備わっておらず、テーブル、テレビ等のＡＶ機器は個々として使用されている。
【０００３】
【発明が解決しようとする課題】
近年、テレビ画面の液晶化スリム化などＡＶ機器においての発展は、性能面構造面ともその発展は目覚しく、ベッドを有する医療機関や福祉機関のにおいてもその導入が浸透してきている。その為、患者のより快適な療養生活や治療生活において、その環境の整備は急務といえ、限られたスペースでのベッド周辺の機器や家具類の整備を目的とし、その清掃面でも容易なものを目指す。
【０００４】
しかし、医療機関などのベッド周りにおいて、そのスペースという面では改善とまでは言えず、その設置は患者サービス的意味づけが強いといえる。
【０００５】
そこで、この発明はベッドに寝たままでも安易な操作が出来、周辺スペースの効率化により、治療時介護時の作業スペースの安易な確保、ベッド利用者へのより快適な環境の提供、又、テレビ等のＡＶ機器を埋め込み型にする事で、そのほこりなどの付着、または安易な清掃を可能とする事を課題とする。
【０００６】
【課題を解決するための手段】
この発明は、テーブル部を固定部、ＡＶ機器を収納した変動部の２部で１つの天板とし、移動自在な脚部を有しベッドに近接する事で、リモートコントロールスイッチにより容易な操作を可能とし、使用時に可変し、未使用時は１つのテーブルとして略面一としてその機能を可能としたベッドサイドテーブルを特徴としている。
【０００７】
【作用】
このベッドサイドテーブルをベッド部、又はその周辺部に配置すると、使用者は横位時も立位時も容易にその操作、利用が可能となり、終了時は固定部と略面一とする事で、一つのテーブルとしてその有効利用が可能となる、又、使用時においても固定部はテーブルとしての利用が可能であり、ベッド周辺スペースの有効利用も可能となる。
【０００８】
又、天板に強化ガラスなどを貼付することで、テレビ画面の保護やテーブル清掃の容易化も可能として、画面などに付着するチリやほこりを防ぐ事も可能としている。
【０００９】
又、テーブルとＡＶ機器の一体化によりスペースの有効利用もを可能とする。
【００１０】
【実施例】
図１はこの発明の一実施例を表し、（４）テーブル部は固定式となり、ＡＶ機器が格納された（２）テーブル部はその角度が変動式となっている。
【００１１】
前部にはＡＶ端子や利用時のカード式料金ＢＯＸが設置されている。
【００１２】
又、固定テーブル部低部には、鍵付、若しくは無しの収納箱が備えられ、利用者の貴重品なども収納できるようになっている。
【００１３】
これら、テーブル部を支柱と移動自由な車輪付脚部で構成し、又、機器の配線ケーブルやリモートコントロールのケーブルなどは支柱中などを経由して、利用者の手元や、ベッド周辺のコンセントなどへ送られる。
【００１４】
この為、利用者は横位でも立位でもその姿勢に制限は無く、又、高齢者や重症者などの非力な利用者でも、手近に容易にその利用が可能となった。
【００１５】
【発明の効果】
以上の説明通り、この発明は、医療機関や老健施設、介護現場などのベッド利用者において、ある程度姿勢や状態に拘らず、テレビ画面の角度調整や位置調整、又、テレビやＡＶ機器の使用時、未使用時に限らず、そのテーブルとしての有効利用やベッド周辺のスペースの有効利用が可能となる。
【００１６】
更に、テレビ画面や本体に付着するチリやほこりにおいても、天板を用いる事で防御効果が期待でき、テレビやＡＶ機器単体の清掃は殆ど不必要となり、その清掃においては、単にテーブルを拭くといった行為となり、ベッド周辺の清潔性、清掃作業の容易化という事についても期待出来る。
又、利用者においては、殆どの作業が手元周辺で可能となり、更に、テレビ画面も近くや遠くと、その調整も状態に限らず安易となる。
【図面の簡単な説明】
【図１】図１はこの発明の一簡易図。
【符号の説明】
（１）−　液晶テレビ
（２）・（４）−　強化ガラス天板
（３）−　ＡＶ端子、カード式料金ＢＯＸ
（５）−　リモコンなどの小物入れ
【図１】
2004057789.tif 000003
(57)【要約】【目的】麺類は従来、原材料や製造方法に工夫をこらしているが、茹で方に関しては全く進歩がない、麺の仕上がりや喉ごしの良さが麺料理の原点なのに、茹でかげんの選択肢に限界があった。本発明はこの限界を越えることを目的としています。【方法】通常の煮沸より、圧力、温度を高める為に本考案の圧力釜（４）を使用することで解決する。【選択図】図５
2004057786.tif 000002
【特許請求の範囲】
【請求項１】
麺類を茹で上げるための、業務用圧力容器（以下、圧力釜とす）
【発明の詳細な説明】
【０００１】
【産業上の利用分野】
本発明は、短時間に麺の内部まで均一に茹で上げる、圧力釜に関するものである。
【０００２】
【従来の技術】
業務用の茹で釜は、主に量販のラーメン店で、オープンの大型の釜と金属の網籠を使用して、麺を茹で上げ提供している。これを圧力釜によって内部の圧力と、それに伴う温度の上昇を利用して、麺などを茹で上げると仕上がりも食感も格段に向上するが、圧力釜の減圧で激しい吹きこぼれがおきる。
【０００３】
【発明が解決しようとする課題】
調理は流れにそって実行されるので、極端に変化のある難しい操作など敬遠される。圧力釜は沸騰して２分ほどで、内部の圧力は４ポンド強（２Ｋｇ弱）になり、温度は１０５〜１１０度に達する、その温度、圧力は茹でる麺にとって理想的な条件であるが、料理として提供するためには、取り出すときの急速な減圧を必要とする、しかし上記の圧力の熱湯を瞬時に減圧すると、激しい吹きこぼれ現象を伴い火傷の危険もあり、処置が大変に困難です。
【０００４】
【課題を解決するための手段】
この問題を解決するために、外釜と圧力釜との二重構造とし、圧力釜の内圧と沸騰した熱湯を、外部に直接噴出させずに、圧力釜の底から外釜の湯の中へ排出させようとするものです。
【０００５】
【作用】
業務用の茹で釜は常時５０〜１００リッター位の熱湯を蓄えている、そしてその釜は本発明で呼称する外釜で、その熱湯の中に２〜３リッター程の容積の圧力釜を入れるが、二重構造の圧力釜の底の部分は直接外釜の熱源に当たるので、外釜の沸騰温度と同時に作用して、その内部も短時間に予定通りの圧力と温度を得られます。
【０００６】
【実施例】
本発明の圧力釜は、二重構造の外釜と相互に作用しあう機構なので、以下その実施例を図にしたがって説明する。
【０００７】
【圧力釜の概略構造】
第一図の様に、ごく一般的な釜（１）と蓋（２）とがパッキンを挟んで密封する圧力釜の仕様ながら、この釜の底は金網（３）だけの構造である。
【０００８】
第二図、釜（１）の蓋（２）を開けて、麺（５）を入れる。
第三図、釜（１）に蓋（２）を締め、外釜（６）の熱湯（７）の中に入れる。
第四図、釜（１）の出っ張り又は溝（８）を、外釜（６）の出っ張り又は溝（８）に合わせて絞り込む、釜（１）は沈んで、底の丸いゴムパッキン（９）を押さえ込み、圧力釜（４）、となり内圧を徐々に上げる、それと同時に温度も上がる。
第五図、仕上がり時間が来たら、絞り込みを解けば、内圧は圧力釜（４）とゴムパッキン（９）の間から、外釜（６）の湯（７）のなかへ押し出される。これは蓋（２）を取った場合の吹きこぼれる熱湯に相当する量である、その後で圧力釜（４）の蓋（２）を取り料理として提供することになる。バーナー（１０）とか外釜（６）の回転装置（１１）は適宜設備する。
第六図、俯瞰図である。出っ張り（８）と底のゴムパッキン（９）の状態図。
【０００９】
【発明の効果】
全ての麺の料理に共通するが、表面と芯部に作用する熱の僅かの時間差を出来るだけ小さくすることが、仕上がりを左右します。本発明の圧力釜（４）を使用すれば高温と浸透圧で、理想的な茹で上がりを得ることができます。
【００１０】
【図面の簡単な説明】
【図１】圧力容器の概略構造
【図２】調理の段取り図
【図３】調理の段取り図
【図４】調理の段取り図
【図５】調理の仕上がりの説明図
【図６】全体の俯瞰図
【符号の説明】
（１）釜
（２）蓋
（３）金網
（４）圧力釜
（５）麺
（６）外釜
（７）湯
（８）溝
（９）ゴムパッキン
（１０）バーナー
（１１）回転装置
【図１】
2004057786.tif 000003
【図２】
2004057786.tif 000004
【図３】
2004057786.tif 000005
【図４】
2004057786.tif 000006
【図５】
2004057786.tif 000007
【図６】
2004057786.tif 000008
(57)【要約】［課題］本発明は、食事時、幼児らが手のこうを上にしスプーン等を握ることをやめさせようとした。且つ、はしや筆記具等を早く正しく持たせようとした。［解決手段］本発明は、従来のスプーン等の食器器具に、握りを妨げる突起物を設けた。且つ、つまんだ形態を助けるための溝やその形態を支える突起物を設けることにより上述の課題を解決した。【選択図】図１
2004057788.tif 000002
【特許請求の範囲】
【請求項１】
スプーン等の食器器具に、握りをさまたげる突起物や手のひらでつつみこみ支えとなる突起物及び溝を設けることにより、食事時、幼児等がスプーン等を握って食べずらくさせ、大人が持つよう正しくつまんで器具をもたせようとしたところを特徴とする握りをなくさせる食器器具。
【発明の詳細な説明】
【０００１】
［発明の属する技術分野］
本発明は、スプーン等の食器器具の把手部分に突起物や溝を設けることにより、幼児等が正しくつまんでスプーン等を持たせるようにさせた食器器具に関するものである。
【０００２】
［従来の技術］
従来、スプーン等の食器器具の把手部分はへいたんであったため、幼児等が把手部分を握って、手のこうを上にして器具を口に運んでいた。
【０００３】
［発明が解決しようとする課題］
従来のスプーン等の食器器具では、幼児等が小さく不自由な指を持っているため器具を握り、手のこうを上向きにして食事をとることが多かった。且つ、それが習性となり、はしを持たせる時の矯正や筆記具を正しく持たせずらかった。従ってスプーン等の把手部分に握りをさまたげる突起物や、手のひらでつつみこみ支えとなる突起物および溝を設けることにり、食事時、スプーン等を握るより、つまんでの方が食べやすくさせることで前述の欠点を解決しようとするものである。
【０００４】
［課題を解決するための手段］
本発明は、食器器具のスプーン等に握りをさまたげる突起物や、手のひらでつつみこみ支えとなる突起物および溝を設けることにより、幼児等がはじめから把手を握って器具を持つことをやめさせ把手をつまんで食べやすくさせることを可能にし問題点を解決しょうとしている。
【０００５】
［発明の実施の形態］
食器器具のスプーン等の把手部分に握りをさまたげる突起物や、手のひらでつつみこみ支えとなる突起物および溝を設けることにより、食事時、幼児等が大人とおなじよう正しく把手をつまめるようになる。
【０００６】
［実施例］
以下、添付図面に従って一実施例を説明する。１は耐久性のプラスチック等適宜素材にて一体化形成されたスプーン本体、２は親指をのせやすくした溝、３はひとさし指をのせやすくした溝、４は握りをさまたげる突起物、５はもうひとつの握りを防ぐ突起物であり、且つ本体をつまんで安定させるため、手のひらでつつみこみ支えとなる突起物であり、５を手のひらで握り、２に親指を、３にひとさし指をのせることでスプーンをつまんだ状態にさせる。
【０００７】
［発明の効果］
上述の様に、本発明の握りをなくさせる食器器具は、幼児等の器具を握っての食時を防ぐことはもちろん、はしを持たせることを早め、且つ幼児等が早い時期から筆記具を正しく持たせるのに役立つ。
【図面の簡単な説明】
【図１】本発明の握りをなくさせる食器器具の一実施例を示す平面図である。
【図２】本発明の握りをなくさせる食器器具の一実施例を示す断面図である。
【符号の説明】
１　スプーン本体
２　親指をのせる溝
３　ひとさし指をのせる溝
４　握りを妨げる突起物
５　握りを妨げ、且つ、つまんだ形を安定させる突起物
【図１】
2004057788.tif 000003
【図２】
2004057788.tif 000004
(57)【要約】【課題】識別表示部を設けた薬袋を提供する。【解決手段】朝食後、昼食後、夕食後に飲む薬であることを一目で判別できるように、異なる識別表示部を設けた複数の薬袋である。【選択図】　図３
2004057776.tif 000002
【特許請求の範囲】
【請求項１】
朝食後、昼食後、夕食後に飲む薬であることを一目で判別できるように、異なる識別表示部を設けた複数の薬袋。
【発明の詳細な説明】
【０００１】
【発明の属する技術分野】
この発明は、識別表示を設けた薬袋に関するものである。
【０００２】
【従来の技術】
従来、病院の薬は、図１に示すよう錠剤、カプセル等が入った透明な小袋に、切り取り線を設けた状態で連接された短冊状の薬袋を、朝食後、昼食後、夕食後用として３種類に分けて患者に渡していた。
また、個々の小袋の表面には患者名、服用時、及び薬剤の種類等が記載されている（図２）。
【０００３】
【発明が解決しようとする課題】
ところがこのような薬袋は、患者にとっては使い勝手が不便だった。
病院が差出す短冊状の薬袋（１）は、朝食後に飲む薬、昼食後に飲む薬、夕食後にに飲む薬、と３種類の小袋（４）の表面に必ず服用時の種別を記載している。これは服用時によって薬の種類が異なるからである。
したがって、患者は指定された薬を、朝食後、昼食後、夕食後用と薬袋の切取り線を利用して小袋を切離して、間違いのないように服用しなければならなかった。
ところが、これが面倒なのである。前記したように短冊状の薬袋の形態はまったく同じであり、異なるのは服用時を示した文字の記載だけである。
しかもここに記載されている文字は小さく、朝食後、昼食後、夕食後用と見分けることが困難であった。特に年配者で目の不自由な人にとっては、選別をするのが大変で、うっかりすると間違って服用する場合があった。
そこで本発明は、以上の問題点を解決するためになされたものである。
【０００４】
【課題を解決するための手段】
その構成は、朝食後、昼食後、夕食後に飲む薬であることを一目で判別できるように、異なる識別表示部を設けた複数の薬袋である。
【０００５】
【発明の実施の形態】
以下、本発明の実施の形態について説明する。
短冊状の薬袋（１）の表面（２）に、横長上に色彩等を施した識別表示部（３）を設け、それぞれの識別表示部（３）が朝食後、昼食後、夕食後と一目で判別できるよう、異なる色彩等を施した複数の薬袋である。
色彩については、朝用は爽やか青色、昼用は太陽を意味した赤色、夕用は夜間の意味した黒色をつけることを好ましいと思っているが、これにこだわることなく、交通信号機に使われている緑、赤、青を用いても良い。要は３種類の薬袋が、一目で服用時の種別が分かるように差別化をすればよいのである。
【０００６】
【他の実施例】
本発明について識別表示部に色彩を設ける以外に、ハートや三つ葉、ダイヤ等の図形を設けても良いし、子供用の薬袋として人気者のキャラクターを設けても良い。
さらに、少々太幅の線を一本、二本、三本とつけて判別させることも可能である。
この識別表示の手段については、図面に記載されたものに特定をするものではなく、あらゆるデザインを含むものである。
なお、本発明については一日、朝、昼、夕の３回服用する薬袋について説明したが、一日、２回服用する薬袋にも適用できるのは当然である。
【０００７】
【発明の効果】
このようにすることによって、一目で服用時の薬を選別できるから、間違って服用することがなく、高齢化社会に最適の薬袋である。
また、あらかじめ小分けした小袋のみをハンドバック等に入れていて持ち歩いていても、朝食後、昼食後、夕食後用と分かるので、間違って服用することはない。このように本発明は、誠に使い勝手のよい薬袋である。
【図面の簡単な説明】
【図１】従来の一組の薬袋の斜視図
【図２】従来の薬袋の一部を切離した小袋の説明図
【図３】本発明の斜視図
【図４】本発明の他の実施例図
【図５】本発明の他の実施例図
【符号の説明】
１　薬袋
２　薬袋の表面
３　識別表示部
４　小袋
【図１】
2004057776.tif 000003
【図２】
2004057776.tif 000004
【図３】
2004057776.tif 000005
【図４】
2004057776.tif 000006
【図５】
2004057776.tif 000007
(57)【要約】　　　（修正有）【課題】従来、堅くて巻けないなどの理由で、掛軸に出来なかった作品を掛軸形式にして、鑑賞を可能にする。【解決手段】伝統的な掛軸の形式は、可能な限り残し、金属を材料にして掛軸を作り、巻けない作品でも掛軸形式による鑑賞を可能にした。【選択図】　図１
2004057779.tif 000002
【特許請求の範囲】
【請求項１】
金属で製作した掛軸
【発明の詳細な説明】
【０００１】
【発明の属する技術分野】
この発明は、従来主に紙や裂や木を材料として作られていた掛軸を、金属を材料として作った掛軸に関するものである。
【０００２】
【従来の技術】
従来の掛軸は、主に紙、裂、木で作られていた。
【０００３】
【発明が解決しようとする課題】
従来の掛軸には次のような欠点があった。
（イ）従来の掛軸は、作品の絵の具が厚塗りだったり、作品が堅かったりして巻くことが難しい場合は、掛軸に出来なかった。
（ロ）主に紙と裂によって作られる為、折れたり、破れたりし易く床の間など限られた場所にしか飾れなかった。
（ハ）最近の作品は、日本画でさえ油絵と同じように厚塗りになり、堅い作品が多く、掛軸仕立にしてみたいという希望があっても、対応できない現状である。
本発明は、これらの次点を除くためになされたものである。
【０００４】
【課題を解決するための手段】
掛軸を金属で作り、作品を貼り込む。
【０００５】
【発明の実施の形態】
本発明を実施するために、アルミニウムで試作した。
アルミニウムは、表面の処理、加工により色々な表情を出してくれる。
色も自由につけることが出来るので、掛軸としての表現は自在であった。
又、金属の持つ、紙や裂にはない質感が、現代作品の新しい鑑賞方法を拡げた。
【０００６】
【発明の効果】
（イ）本発明は金属製なので、今まで巻けないという理由で掛軸仕立に出来なかった作品も、掛軸形式にして鑑賞出来るようになった。
（ロ）鑑賞する場所も、従来材質的に破損し易いという理由で床の間にしか掛けられなかった掛軸を、金属製にしたことで床の間から解放し、居間や廊下の壁などにも掛けて楽しむことが出来る。
（ハ）従来の掛軸のメンテナンスの面倒さ、例えば年一度の虫干し、掛軸の巻き方の難しさなどからも解放され、気軽に掛軸を楽しめる。
【図面の簡単な説明】
【図１】本発明の斜視画である。
【図１】
2004057779.tif 000003
(57)【要約】【課題】小形で円柱の形の色分けしたボールを１個または複数同時に投げ取りやバウンドさせたり肌に当て転がしたりの娯楽．運動．健康目的．リハビリなどポケットにも楽々入り屋内外で年齢に関係なく多目的に利用できる体に当てても痛くない．万能型カラーボールを提供する。【解決手段】小形で軟質な円柱の形の表面（１）を色分けして内部には接合部（５）から軽量の球形粒（２）と円筒粒（３）の２種類を露出しないように薄地の網袋（４）に詰めて納めた軟質．軽量のボール。【選択図】　　　図１
2004057771.tif 000002
【特許請求の範囲】
【請求項１】
円柱の形の表面（１）を柔軟な材質にして内部には接合部（５）から軽量の球形粒（２）と円筒粒（３）の２種類を薄地の網袋（４）に詰めて納めた小形のボールであり．このボールを１個ごとに色分けした．万能型カラーボール。
【発明の詳細な説明】
【０００１】
【発明の属する技術分野】
本発明は．円柱の形をした軟質．軽量のボールを色分けしたもので．このボールを娯楽．運動．健康目的．リハビリなどに利用する．万能型カラーボールに関するものである。
【０００２】
【従来の技術】
従来より円い形のボールは多数あるが球形で物が大きい．硬い．単数．色分けしていない．複数同時に使用できない．地面に落とすと弾む．使用法が限られている。
【０００３】
【発明が解決しようとする課題】
これには次のような欠点があった。
イ．地面に落ちると遠くに転がってしまった。
ロ．物が大きく複数をポケットに入れて持ち運べなかった。
ハ．娯楽．運動．健康面など多目的に利用できなかった。
ニ．使用する年齢層が限られていた。
ホ．体に当ると痛かった。
本発明は以上の欠点を解決するためになされたものである。
【０００４】
【課題を解決するための手段】
小形で円柱の形をした表面（１）を色分けして内部には表面接合部（５）から軽量の球形粒（２）と円筒粒（３）の２種類を薄地の網袋（４）に詰めて納めた軟質．軽量のボール。
本発明は．以上の構成よりなる万能型カラーボールである。
【０００５】
【発明の実施の形態】
以下．本発明の実施の形態を説明する。
イ．小形で円柱の形の表面（１）を軟質材にしてこの内部には表面接合部（５）から軽量の球形粒（２）と円筒粒（３）の２種類を薄地の網袋（４）に詰めて納めたボール。
ロ．各ボールの表面を色分けする。
本発明は以上の構成よりなっている。
本発明を使用するときは．色とりどりの同一ボールを投げ取りしたり．バウンドや転がしたりして利用する。また．軟質．軽量なので多目的に使用できる。
【０００６】
【発明の効果】
本発明を使用することによって．柔軟．軽量で小形の色分けしたボールなので握ったり体に当てても痛くなく複数の持ち運びも自由なので子供から高齢者まで娯楽．運動．健康目的．リハビリなど屋内外で多目的に利用できる。
【図面の簡単な説明】
【図１】本発明の斜透視図
【図２】本発明の平面図
【図３】本発明の図２のａ線の断面図
【符号の説明】
１　　表面
２　　球形粒
３　　円筒粒
４　　網袋
５　　接合部
【図１】
2004057771.tif 000003
【図２】
2004057771.tif 000004
【図３】
2004057771.tif 000005
(57)【要約】【課題】地域社交ダンスサークルの練習は、数ペアづつの組みを数組作り１曲踊ったら、次の組みに交替します。仕事の帰り、家事の都合等で出席時間はまちまちで、たえず人数が増え、ペアを組むときに誰と組んで良いのか分らず、時間が掛り、練習時間に大変支障を来たす。【解決手段】出席したら胸番号を付け、練習順番表の同番号の札に自分の名前マグネットを付けレールに差し込み、スライドさせて組み合わせ位置で重なったペアを踊る組みとし、その組みがスタートしたらその札は楕円レール上をスライドさせ末尾の札の後に付け、全体の札を押して移動、押されて来た中央レールの札を右からスライドさせて次のペアを完成させます。途中で出退席されても、札の追加・取り外しが容易に出来、即座に次の組みを完成させることが可能。また、うっかり者がいてペアが組めない時でも誰が居ないのかは、札を見れば名前が分る為、名前で呼べてすぐにペアを組む事が可。【選択図】　　図１
2004057775.tif 000002
【特許請求の範囲】
【請求項１】
（イ）　２本の楕円レールを上下に並べ、番号札をスライドさせてペアの組み合わせ及び順番を決定する。
（ロ）　番号札に名前マグネットを付け、番号札で名前が分る。
以上の如く構成された、地域社交ダンスサークル練習順番装置。
【発明の詳細な説明】
【０００１】
地域社交ダンスサークルの練習（ワルツ・タンゴ等モダンダンス）は、数ペアづつ（６ペア程度）の組みを数組作り１曲踊ったら、次の組みに交替します。
サークル活動ですので、仕事の帰り、家事の都合等で出席時間はまちまちで、その為、たえず人数が増え、当然、男女の人数も同数にはならず、ペアを組むときに誰と組んで良いのか分らず、時間がかかり、練習時間に大変支障を来たします。
【従来の技術】
【０００２】
その都度、全員が並んで組み合わせたので、大変、時間の無駄。
【発明が解決しようとする課題】
【０００３】
組み合わせ時間の節約
【課題を解決する為の手段】
【０００４】
出席したら、胸番号を付け、練習順番装置の同番号の戸車付き番号札に自分の名前のマグネットを付けレールに差し込み、スライドさせて組み合わせ位置で重なったペアを次に踊る組みとします。例えば、図１の男性８から１３番・女性３番から８番の６ペアの組みが踊り始めたらこの組みの番号札は楕円レール上を男性は左から上そして右方向に、女性は左から下そして右方向にスライドさせ、末尾の番号札の後に付け全体の番号札を押す。次の組は、押されて来た中央レールの番号札を右から左にスライドさせてペアを完成させます。番号札をまとめてスライドさせると、コーナー部分で回転し逆さになりますが、戸車位置を中心より上にし、かつ、名前マグネットの重量により水平レール上で自然に正常の位置に戻ります。
レールは、楕円ですので、移動しても男性（女性）の出席順は狂わず、また　途中で出席・退席されたても、レールのどこからでも追加・取り外しが出来ますので、詰めてスライドさせることで、即座に次の組みを完成させることが出来ます。
また、うっかり者がいて、ペアが組めないときでも誰が居ないのかは、番号札を見れば名前が分る為、名前で呼べて　すぐにペアを組むことが出来ます。
【発明の実施の形態】
【０００５】
地域社交ダンスサークルの共通の悩みである、組み合わせ時間の節約に、大いに期待出来る
【実施例】
【０００６】
試作品を、サークルで使用
【発明の効果】
【０００７】
組み合わせ時の混乱は無くなる。以前は、１回の混乱で約７分を数回無駄にしたが、それが皆無となり、かなりの時間の節約が出来た。
また、順番待ちの人も、何時、自分が踊るのかが事前に分り、安心して踊っている人の見学が出来、勉強になる。
【図面の簡単な説明】
【図１】壁に掛けて全体を正面から見た正面図である。
【図２】番号札の詳細図である。
【符号の説明】
１　番号札
２　男性用レール
３　女性用レール
４　名前マグネット
５　壁掛け用クサリ
６　まだ来ない人の　胸番号置場
７　まだ来ない人の　名前マグネット置場
８　まだ来ない人の　番号札置場
９　移動用つまみ
１０　戸車
１１　名前マグネット取付け用薄鉄板
【図１】
2004057775.tif 000003
【図２】
2004057775.tif 000004